(57)【特許請求の範囲】
【請求項１】
離れた場所に位置する複数の建物内に構築され、無線端末によるアクセスが可能なアクセスポイントを有し、双方向ＣＡＴＶシステムに接続して使用される無線ＬＡＮシステムにおいて、
前記双方向ＣＡＴＶシステムの伝送線から屋内への引込線を分岐するための分岐装置から前記アクセスポイントに至る伝送経路中に、無線にて信号の伝送を行う無線伝送区間を有し、
前記アクセスポイント及び前記無線端末間の無線アクセス区間と前記無線伝送区間とでは、信号の伝送に用いる伝送周波数帯が互いに異なるように設定され、
前記分岐装置からの引込線が、前記複数の建物のうちの一つに引き込まれていると共に、前記複数の建物間の伝送路が前記無線伝送区間にされていることを特徴とする無線ＬＡＮシステム。
【請求項２】
前記引込線の一部が、前記無線伝送区間にされていることを特徴とする請求項１記載の無線ＬＡＮシステム。
【請求項３】
前記双方向ＣＡＴＶシステムは、端末から前記センタ装置に向けた上り信号を伝送するための周波数帯が、前記センタ装置から前記端末に向けた下り信号を伝送するための周波数帯の上側及び下側にそれぞれ確保されていることを特徴とする請求項１又は請求項２記載の無線ＬＡＮシステム。
【発明の詳細な説明】
【０００１】
【発明の属する技術分野】
本発明は、無線端末によるアクセスが可能なアクセスポイントを有し、双方向ＣＡＴＶシステムに接続して使用される無線ＬＡＮシステムに関する。
【０００２】
【従来の技術】
従来より、センタ装置から加入者へ向けた下り信号にて、各種放送形式（ＴＶ放送，文字放送，ファクシミリ放送，データ放送など）の信号を多重化して伝送するだけでなく、加入者側からセンタ装置へ向けた上り信号の伝送を可能として、より高度なサービスの提供を可能した双方向ＣＡＴＶシステムが知られている。
【０００３】
この双方向ＣＡＴＶシステムでは、センタ装置をインターネットに接続しておくことにより、当該システムの持つ双方向データ伝送機能を利用して、当該システムの加入者端末を、電話回線を介することなく低コストにてインターネットに接続するサービスを提供することが可能である。
【０００４】
そして、近年では、ＬＡＮ（Local Area Network）をインターネットに接続するために、このような双方向ＣＡＴＶシステムを利用することも考えられている。
【０００５】
【発明が解決しようとする課題】
ところで、ＬＡＮの分野では、端末間の配線の煩わしさを解消するため、端末装置から無線によるアクセスを可能とした、いわゆる無線ＬＡＮシステムが知られている。
【０００６】
一方、双方向ＣＡＴＶシステムでは、センタ装置から加入者宅まで、同軸ケーブルや光ファイバからなる伝送線を配線する必要があるが、幅の広い河川や道路を跨ぐ等、新規にケーブルを配線しようとすると非常に手間のかかるような区間では、無線伝送を用いることが考えられている。
【０００７】
そして、そのような無線伝送区間を有する双方向ＣＡＴＶシステムに接続した無線ＬＡＮシステムを構成した場合、屋外の無線伝送区間、及び屋内の無線アクセス区間の両方にて無線伝送が行われることになる。このため、特に、アクセスポイントが設けられた建造物の近傍に、屋外の無線伝送区間が存在する時には、両無線区間にて用いられる電波が互いに干渉し合って、互いの伝送品質を劣化させてしまう可能性があった。
【０００８】
本発明は、上記問題点を解決するために、無線端末によるアクセスが可能なアクセスポイントを有し、双方向ＣＡＴＶシステムに接続して使用される無線ＬＡＮシステムにおいて、無線区間での伝送品質の劣化を防止することを目的とする。
【０００９】
【課題を解決するための手段】
上記目的を達成するための発明である請求項１記載の無線ＬＡＮシステムは、離れた場所に位置する複数の建物内に構築され、双方向ＣＡＴＶシステムの伝送線から屋内への引込線を分岐するための分岐装置からアクセスポイントに至る伝送経路中に無線による信号の伝送を行う無線伝送区間を有しており、アクセスポイント及び無線端末間の無線アクセス区間と無線伝送区間とでは、信号の伝送に用いる伝送周波数帯が互いに異なるように設定されている。但し、分岐装置からの引込線は、複数の建物のうちの一つに引き込まれていると共に、複数の建物間の伝送路が無線伝送区間にされている。
具体的には、複数の建物に渡って無線ＬＡＮを構築する際に、建物間の伝送を無線にて行う場合等が考えられる。
【００１０】
従って、本発明の無線ＬＡＮシステムによれば、無線伝送区間及び無線アクセス区間の両無線区間にて用いられる電波が互いに干渉し合うことがなく、両無線区間の伝送品質が、互いに他の無線区間の電波によって劣化させられてしまうことがないため、優れた伝送品質を確保することができる。
【００１１】
なお、請求項２記載のように、引込線の一部が、無線伝送区間にされていてもよい。
【００１２】
具体的には、双方向ＣＡＴＶシステムの伝送線が、建物の近くに配線されておらず、分岐装置から建物までの引き込みを無線にて行う場合が考えられる。
【００１３】
ところで、このような無線ＬＡＮシステムを構成するには、端末からセンタ装置に向けた上り信号を伝送するための周波数帯が、センタ装置から前記端末に向けた下り信号を伝送するための周波数帯の上側及び下側にそれぞれ確保されている双方向ＣＡＴＶシステムを用いることができる。この場合、下り信号の下側に上り信号の周波数帯を有していない通常の双方向ＣＡＴＶシステムと比較して、より多くの上り信号を送信することが可能となるため、より多くの端末の接続が可能となり、比較的規模の大きな無線ＬＡＮシステムを簡易に構成することができる。
【００１４】
【発明の実施の形態】
以下に本発明の実施形態を図面と共に説明する。
図１は、本発明が適用された実施形態の無線ＬＡＮシステムの構成を表すブロック図である。
【００１５】
図１に示すように、本実施形態の無線ＬＡＮシステム１０，２０，３０は、センタ装置２から端末側に、所定の伝送周波数帯（例えば、７０ＭＨｚ〜５５０ＭＨｚ帯）の伝送信号を下り信号として伝送し、端末側からセンタ装置２ａ側には、下り信号よりも周波数の低い伝送周波数帯（例えば１０ＭＨｚ〜５５ＭＨｚ帯）の上り信号と、下り信号よりも高い伝送周波数帯（例えば、６５０ＭＨｚ〜７７０ＭＨｚ帯）の上り信号とをそれぞれ伝送するように構成された双方向ＣＡＴＶシステム１にそれぞれ接続されている。
【００１６】
この双方向ＣＡＴＶシステム１は、センタ装置２と当該システム１の加入者側端末装置との間で双方向に伝送するための伝送線として、センタ装置２に接続された幹線４、幹線４から分岐した多数の分岐線（以下「枝線」という）６、枝線６から分岐増幅器，分配器，タップオフ等（以下、総称して「分岐装置」という）９（９ａ，９ｂ，９ｃ）により更に分岐した下位の分岐線８（８ａ，８ｂ，８ｃ）を備えている。
【００１７】
また、センタ装置２は、インターネット（図示せず）に接続されており、当該システム１の加入者は、加入者側端末装置から、センタ装置２を介してインターネットを利用できるように構成されている。
ここで、まず、離れた場所に位置する一対の建物Ｍ１，Ｍ２内に構築された無線ＬＡＮシステム１０について説明する。
【００１８】
この無線ＬＡＮシステム１０において、一方の建物Ｍ１内では、サーバ１１と複数のパーソナルコンピュータ（以下「マイコン」という）１２ａ，１２ｂがハブ１３を介してスター状に接続されており、このうち一つのパソコン１２ａが、分岐装置９ａを介して建物Ｍ１に引き込まれた分岐線８ａに、ケーブルモデム１４を介して接続されている。
【００１９】
つまり、無線ＬＡＮシステム１０に接続されるサーバ１１やパソコン１２等の各種端末装置は、このケーブルモデム１４に接続されたパソコン１２ａを介して、外部の双方向ＣＡＴＶシステム１、ひいてはインターネット等の外部の情報網と接続できるようにされている。
【００２０】
また、ハブ１３には、アンテナ１６ａを介して受信したデジタル変調された所定周波数帯（本実施形態では５ＧＨｚ帯）の信号を復調してハブ１３に供給すると共に、ハブ１３から供給されるデータを所定周波数帯（本実施形態では５ＧＨｚ帯）の信号にデジタル変調し、アンテナ１６を介して送信するワイヤレスリンク１５ａが接続されている。
【００２１】
一方、建物Ｍ２には、建物Ｍ１に設けられたものと同様のアンテナ１６ｂ及びワイヤレスリンク１５ｂを備えており、これらアンテナ１６ａ，１６ｂ及びワイヤレスリンク１５ａ，１５ｂによって、両建物Ｍ１，Ｍ２間に無線伝送路（以下「無線伝送区間」ともいう）が形成されている。
【００２２】
また、ワイヤレスリンク１５ｂは、複数のパソコン１２ｃ，１２ｄ，１２ｅと共にハブ１７を介してスター状に接続されている。つまり、ハブ１３，１７に接続されたサーバ１１及びコンピュータ１２（１２ａ〜１２ｅ）は、伝送路中に無線区間を含んではいるが、独立した一つの有線ＬＡＮを形成している。
【００２３】
また更に、ワイヤレスリンク１５ｂには、インタフェース装置を取り付けたパソコン（以下「無線端末装置」という）１８ａ，１８ｂが無線によるアクセスを行うためのアクセスポイント１９が接続されている。
そして、アクセスポイント１９は、複数の無線端末装置１８（１８ａ，１８ｂ）と共に独立した無線ＬＡＮを形成し、また、アクセスポイント１９自身の持つブリッジ機能により、この無線ＬＡＮと上述の有線ＬＡＮとを相互に接続している。なお、アクセスポイント１９と無線端末装置１８との間では、所定伝送周波数帯（本実施形態では２．４ＧＨｚ帯）を用いて、スペクトラム拡散方式にて通信を行うように構成されている。
【００２４】
以上、説明したように本実施形態の無線ＬＡＮシステム１０では、有線ＬＡＮと無線ＬＡＮとが相互に接続された構成を有しており、有線ＬＡＮには、建物Ｍ１，Ｍ２間に無線伝送区間が含まれていると共に、無線ＬＡＮにはアクセスポイント１９と無線端末装置１８との間に無線アクセス区間が含まれている。
【００２５】
但し、無線伝送区間で使用する伝送周波数帯（５ＧＨｚ帯）と、無線アクセス区間にて使用する伝送周波数帯（２．４ＧＨｚ帯）とは、異なるように設定されている。
このため、本実施形態の無線ＬＡＮシステム１０では、両無線区間にて使用される電波の混信による伝送品質の劣化を確実に防止でき、信頼性の高い通信を実現できる。
【００２６】
次に、近くに双方向ＣＡＴＶシステム１の伝送線が配線されていない一般家屋Ｍ３に導入された無線ＬＡＮシステム２０について説明する。
ここでは、家屋Ｍ３まで双方向ＣＡＴＶシステム１の伝送線を配線する代わりに、分岐装置９ｂから分岐された分岐線８ｂに、双方向ＣＡＴＶシステム１にて伝送される下り信号（７０ＭＨｚ〜５５０ＭＨｚ帯）を、所定伝送周波数帯（本実施形態では５ＧＨｚ帯）の信号にアップコンバートし、アンテナ２１ａを介して送信すると共に、アンテナ２１ａを介して受信される上述の所定伝送周波数帯の信号にアップコンバートされた上り信号を、双方向ＣＡＴＶシステム１での本来の伝送周波数帯（１０ＭＨｚ〜５０ＭＨｚ帯，６５０ＭＨｚ〜７７０ＭＨｚ帯）にダウンコンバートして、分岐線８ｂに送出する送受信装置２２ａが接続されている。
【００２７】
一方、家屋Ｍ３には、双方向ＣＡＴＶシステム１を介したデータの送受信を行うためのケーブルモデム２３が設けられていると共に、ケーブルモデム２３が出力する上り信号を上述の所定伝送周波数帯の信号にアップコンバートし、アンテナ２１ｂを介して送信すると共に、アンテナ２１ｂを介して受信される上述の所定伝送周波数帯にアップコンバートされた下り信号を、双方向ＣＡＴＶシステム１での本来の伝送周波数帯（７０ＭＨｚ〜５５０ＭＨｚ帯）にダウンコンバートして、ケーブルモデム２３に供給する送受信装置２２ｂが設けられている。
【００２８】
つまり、この場合、無線ＬＡＮシステム２０が接続する双方向ＣＡＴＶシステム１の引込線の一部が無線伝送路により構成されている。
そして、この家屋Ｍ３には、アクセスポイント２４が設けられ、このアクセスポイント２４が、複数の無線端末装置２５（２５ａ，２５ｂ）と共に無線ＬＡＮを形成している。また、アクセスポイント２４は、ケーブルモデム２３に接続されており、各無線端末装置２５は、この無線ＬＡＮを介して双方向ＣＡＴＶシステム１、ひいてはインターネット等の外部の情報網に接続できるようにされている。
【００２９】
なお、ケーブルモデム２３、アクセスポイント２４、無線端末装置２５は、上述の無線ＬＡＮシステム１０にて用いられているケーブルモデム１４，アクセスポイント１９，無線端末装置１８と同様に構成されたものである。
このように構成された無線ＬＡＮシステム２０では、屋内に無線ＬＡＮが構築されていると共に、屋外には無線伝送路が形成されている。そして、無線ＬＡＮの無線アクセス区間の伝送周波数帯（２．４ＧＨｚ帯）と引込線（分岐線８）の無線伝送区間の伝送周波数帯（５ＧＨｚ帯）とは異なったものに設定されている。
【００３０】
従って、本実施形態の無線ＬＡＮシステム２０では、上述の無線ＬＡＮシステム１０と同様に、両無線区間の電波の混信による伝送品質の劣化を確実に防止でき、信頼性の高い通信を実現できる。
次に、上述のように屋外に無線伝送区間を有する無線ＬＡＮシステム１０，２０の近くに構築された無線ＬＡＮシステム３０について説明する。
【００３１】
この無線ＬＡＮシステム３０では、建物Ｍ４の各フロア毎にケーブルモデム３１（３１ａ，３１ｂ，３１ｃ）が設けられており、分岐装置９ｃから分岐された分岐線８ｃは、分配器３２にて３分岐され、それぞれが個別にケーブルモデム３１ａ〜３１ｃに接続されている。
【００３２】
また、各フロアには、アクセスポイント３３（３３ａ，３３ｂ，３３ｃ）が設けられ、これらアクセスポイント３３ａ〜３３ｃが、それぞれ各フロアに存在する複数の無線端末装置３４（３４ａ〜３４ｆ）と共に無線ＬＡＮを形成していると共に、同じフロアにあるケーブルモデム３１ａ〜３１ｃにそれぞれ接続されている。
【００３３】
なお、ケーブルモデム３１、アクセスポイント３３、無線端末装置３４は、上述の無線ＬＡＮシステム１０，２０にて用いられているケーブルモデム１４，２３、アクセスポイント１９，２４、無線端末装置１８，２５と同様に構成されたものである。
【００３４】
このように構成された本実施形態の無線ＬＡＮシステム３０では、無線ＬＡＮシステム１０，２０等のように、屋外に無線伝送路を有する他の無線ＬＡＮシステムが近くに存在していたとしても、その無線伝送路にて使用されている電波が、アクセスポイントと無線端末装置との間の無線アクセス区間の電波と混信してしまうことがなく、高い伝送品質を確保でき、信頼性の高い通信を実現することができる。
【図面の簡単な説明】
【図１】  実施形態の無線ＬＡＮシステムの構成を表すブロック図である。
【符号の説明】
１…双方向ＣＡＴＶシステム、２…センタ装置、４…幹線、６…枝線、８（８ａ〜８ｃ）…分岐線、９（９ａ〜９ｃ）…分岐装置、１０，２０，３０…無線ＬＡＮシステム、１１…サーバ、１２（１２ａ〜１２ｅ）…パーソナルコンピュータ、１３，１７…ハブ、１４，２３，３１（３１ａ〜３１ｃ）…ケーブルモデム、１５ａ，１５ｂ…ワイヤレスリンク、１６ａ，１６ｂ，２１ａ，２１ｂ…アンテナ、１８（１８ａ，１８ｂ），２５（２５ａ，２５ｂ），３４（３４ａ〜３４ｆ）…無線端末装置、１９，２４，３３（３３ａ〜３３ｃ）…アクセスポイント、２２ａ，２２ｂ…送受信装置、３２…分配器、Ｍ１，Ｍ２，Ｍ４…建物、Ｍ３…家屋
【図１】
0004493143.tif 000002